(57)【要約】【課題】快適に使用できる以外に、更に尿漏れ、感染などの問題を避けることができる男性用尿漏れ、感染を防止する尿器。【解決手段】  透明袋体２０の端口２１へ硬質の筒３０を設け、該筒の端へ環状の伸縮する弾性ネット４０を当接し、該ネットを利用して使用者の陰茎へ尿器を当接し、使用者は簡単に該ネットを陰茎に当接することができ、且つ容易に脱落することもなく、該環状のネットは弾性の伸縮度を有しており束縛感がないため、使用者は快適に使用することができ、排尿し易い。【選択図】  図  ３
0003109369.tif 000002
【実用新案登録請求の範囲】
【請求項１】
袋体の端口へ硬質筒を設け、該筒の外端部へ伸縮性を具有する環状のネットを設けてなり、使用者の陰茎を該硬質筒に挿入すると共に該ネットを当接して固定することにより、該ネットの伸縮性により使用者の陰茎の脱落を防止しつつ緊縛感なく使用可能とし、かつ該硬質筒を設けることにより使用者の亀頭が袋体への接触を防止して排尿時に尿液を袋体へ直接流入させることにより尿道感染を防止できるようにしたことを特徴とする尿漏れ、感染を防止する尿器の構造。
【請求項２】
前記袋体端口に硬質筒を設け、並びに袋体へ目盛りを設けることにより、尿液検査用に本考案を使用することを特徴とする請求項１記載の尿漏れ、感染を防止する尿器の構造。
【請求項３】
前記袋体端口へ設ける硬質筒は空洞の略円錐形を呈し、その直径及び長さは一般人の陰茎サイズより大きいことを特徴とする請求億１記載の尿漏れ、感染を防止する尿器の構造。
【請求項４】
前記袋体端口に設ける筒へ套設する環状ネットはその使用の前の状態において、該筒へ折り返して当接してあることを特徴とする請求項１記載の尿漏れ、感染を防止する尿器の構造。
【考案の詳細な説明】
【技術分野】
【０００１】
本考案は、一種尿漏れ、感染を防止する尿器の構造に係り、主に男性用であり、特に長期寝たきりの男性患者或いは長時間トイレへ行くことができない職業であるドライバーなどの排尿に用いられる尿漏れ、感染を防止する尿器の構造に関わる。
【背景技術】
【０００２】
公知の尿漏れ、感染を防止する尿器の構造は、図１、２に示すように、長い筒状を呈し、且つ片側が開口する軟質袋体１０を主体とし、軟質袋体１０の袋口１１へ男性の陰茎１を挿入後、更に弾性の結束バンド１２で袋口１１と男性の陰茎１を縛ることで、袋体１０が男性の陰茎１から脱落することを防止し、患者は排尿し、尿液は袋体１０内に溜めておくものであり、患者は随時排尿することができ、看護人の負担を軽減するものである。
【特許文献１】特開平１０−３１４２０４号公報
【考案の開示】
【考案が解決しようとする課題】
【０００３】
しかしながら、上述のような公知における尿器の構造には下記の欠点があげられる。
其の一、軟質袋体１０は軟質素材により形成するため、軟質袋体１０についた尿液が使用者の亀頭２へ必然的に接触してしまい、亀頭２を乾いた状態に保持することが難しく、加えて袋体１０は軟質であるため、患者が体を動かす等した際に、内部の尿液が陰茎１及び亀頭２へ接触してしまい、尿道感染などを引き起こす原因となる。
其の二、結束バンド１２を利用して、陰茎１上に套設する軟質袋体１０を縛り、該軟質袋体１０は一般的にPE素材により形成しており、該素材は陰茎１にくっつきやすく、使用者に不快感を与えてしまい、また陰茎１上に当接する軟質袋体１０を結束バンド１２により巻くという動作は、患者、看護人にとって共に容易なことではない。
そうかといって、長期間寝たきりの男性患者によると、行動が不便であり、体を起こすこと、動くこと、或いはトイレへいくことも全て人の助けが必要であり、特にトイレに関しては、行動が不便であるため、行動が遅くなってしまい、尿意或いは便意を感じてからトイレへ行くまでに時間がかかり失禁、排出してしまうことがあり、並びに患者の失禁、排泄後の処理により患者自身、及び看護人への負担をも増加してしまう。
また、通常尿瓶、排尿器を準備しているが、排尿した尿瓶、排尿器をトイレへ持って行って処理しなくてはならず、不便であり、看護人への負担を増加していると言える。
そこで、上述の欠点に鑑み、看護人への負担をも軽減し、使用者も快適に使用することができる尿漏れ、感染を防止する尿器の構造を提供することを課題とする。
【課題を解決するための手段】
【０００４】
上記課題を解決するために、請求項１の考案は、袋体の端口へ硬質筒を設け、該筒の外端部へ伸縮性を具有する環状のネットを設け、該ネットを使用者の陰茎へ套設し、並びに該ネットは伸縮性を具有するため使用者の陰茎から容易に脱落することもなく、同時に陰茎を締め付ける不快感も避けることができ、快適に使用することができ、且つ該硬質筒を設けることにより、使用者の亀頭が袋体へ接触することを防止し、排尿時に尿液が袋体へ直接流れるため、使用者の陰茎は常に乾いた状態を維持し、更に尿道感染を防止することが可能となることを特徴とする尿漏れ、感染を防止する尿器の構造。
請求項２の考案は、前記袋体端口に硬質筒を設け、並びに袋体へメモリを設けることにより、尿液検査用に本考案を使用することを特徴とする請求項１記載の尿漏れ、感染を防止する尿器の構造。
請求項３の考案は、前記袋体端口へ設ける硬質筒は空洞の略円錐形を呈し、その直径及び長さは一般人の陰茎サイズより大きいことを特徴とする請求億１記載の尿漏れ、感染を防止する尿器の構造。
請求項４の考案は、前記袋体端口に設ける筒へ套設する環状ネットの出荷時の状況は、該筒へ折り返して套設してあることを特徴とする請求項１記載の尿漏れ、感染を防止する尿器の構造。
【０００５】
すなわち、これらの考案は、主に男性用尿器に係り、袋体へ硬質素材の筒を設けるため陰茎が袋体へ接触しない、且つネットによる結束構造により使用者が快適に使用することができることを特徴とする尿漏れ、感染を防止する尿器の構造である。
【考案の効果】
【０００６】
本考案によると、看護人への負担をも軽減し、使用者も快適に使用することができる尿漏れ、感染を防止する尿器の構造を提供することに成功した。
【考案を実施するための最良の形態】
【０００７】
図３から図６に示すように、主に長方形の軟質素材の袋体２０、硬質素材の筒３０、環状ネット４０により形成し、
該袋体２０は透明のプラスチック素材により形成し、片端に端口２１を具有しており、該端口２１へ硬質素材の筒３０を設け、該筒３０は空洞の略円錐形を呈し、その直径及び長さは一般人の陰茎サイズより大きく、該筒３０の外端へ伸縮性を有する環状ネット４０を設け、該環状ネット４０柔軟な質感を具有し、且つ弾性を具有し、環状ネット４０の片端は筒３０の外端へしっかりと当接され、該環状ネット４０の別の片端は使用者の陰茎１へ当接され、並びに該環状ネット４０は弾性の伸縮性を具有するため陰茎１へ束縛感を与えず、使用する上で快適であり、更に陰茎１上へしっかりと固定するため、環状ネット４０及び筒３０が脱落することを避けることができる。
未開封未使用前の出荷時の状態は、使用者の陰茎１に当接する該環状ネット４０の端を該筒３０上へ折り重ねてあり、使用する時に、該筒３０より使用者の陰茎１が出ないよう該筒３０の中間部あたり使用者の陰茎１がくるように該環状ネット４０を使用者の陰茎１へ当接し、且つ該筒３０が隔離の効果も具有するため、陰茎１及び亀頭２は袋体２０へ接触することもない。
【０００８】
図７に示すように、本考案のもう一つの目的は、病院で行われる尿検査にも使用することができ、其の構造は、前述の袋体２０及び硬質素材の筒３０により形成し、並びに袋体２０上へ容量のメモリ２２を設け、使用者は筒３０へ陰茎１を挿入して排尿し、メモリを有するため尿量を知るのに便利であり、衛生的であり且つ運搬にも便利である。
【図面の簡単な説明】
【０００９】
【図１】公知における尿器の構造図である。
【図２】公知における尿器の実施例図である。
【図３】本考案の実施例における構造分解図である。
【図４】本考案の未使用状態の構造図である（一）。
【図５】本考案の未使用状態の構造図である（二）。
【図６】本考案の使用状態の構造図である。
【図７】本考案のもう一つの実施例図である。
【符号の説明】
【００１０】
１        陰茎
２        亀頭
１０      袋体
１１      袋口
１２      結束バンド
１３      尿
２０      袋体
２１      端口
２２      メモリ
３０      カバー
４０      環状ネット
【図１】
0003109369.tif 000003
【図２】
0003109369.tif 000004
【図３】
0003109369.tif 000005
【図４】
0003109369.tif 000006
【図５】
0003109369.tif 000007
【図６】
0003109369.tif 000008
【図７】
0003109369.tif 000009